(57)【特許請求の範囲】
【請求項１】
棒状のコア部と、
前記コア部に対して巻き取り可能に接続され、被験者の生体情報を検知するシート状センサと、
前記コア部の内部に配され、前記シート状センサで検知された被験者の生体情報に応じた音信号を出力する音発生部と、
軸方向における前記コア部の一方の端面に露出して配され、前記シート状センサ、前記音発生部への電力の供給／停止を切り換える電源スイッチと、
を備え、
前記コア部側に位置する前記シート状センサの端部が、前記コア部のうち周方向の一部に接続されている睡眠アシスト装置。
【請求項２】
前記電源スイッチが、前記コア部に対してその軸線を中心に回転可能に設けられることで、前記音発生部から出力される音信号の大きさを調整する回転操作子として機能する請求項１に記載の睡眠アシスト装置。
【請求項３】
軸方向における前記コア部の他方の端面に露出して設けられ、前記シート状センサ、前記音発生部に電力を供給するための外部の電源配線が接続される電源端子を備える請求項１又は請求項２に記載の睡眠アシスト装置。
【請求項４】
棒状のコア部と、
前記コア部に対して巻き取り可能に接続され、被験者の生体情報を検知するシート状センサと、
前記コア部の内部に配され、前記シート状センサで検知された被験者の生体情報に応じた音信号を出力する音発生部と、
軸方向における前記コア部の他方の端面に露出して設けられ、前記シート状センサ、前記音発生部に電力を供給するための外部の電源配線が接続される電源端子と、
を備え、
前記コア部側に位置する前記シート状センサの端部が、前記コア部のうち周方向の一部に接続されている睡眠アシスト装置。
【請求項５】
軸方向における前記コア部の一方の端面に配され、被験者の生体情報に応じた視覚情報を表示する表示部を備える請求項１から請求項４のいずれか一項に記載の睡眠アシスト装置。
【請求項６】
棒状のコア部と、
前記コア部に対して巻き取り可能に接続され、被験者の生体情報を検知するシート状センサと、
前記コア部の内部に配され、前記シート状センサで検知された被験者の生体情報に応じた音信号を出力する音発生部と、
軸方向における前記コア部の一方の端面に配され、被験者の生体情報に応じた視覚情報を表示する表示部と、
を備え、
前記コア部側に位置する前記シート状センサの端部が、前記コア部のうち周方向の一部に接続されている睡眠アシスト装置。
【請求項７】
前記コア部の内部に配され、前記シート状センサで検知された被験者の生体情報を処理して被験者の睡眠状態を推定する生体情報処理部を備え、
前記音発生部は、前記生体情報処理部の推定結果に基づいて音信号を出力する請求項１から請求項６のいずれか一項に記載の睡眠アシスト装置。
【請求項８】
前記コア部の内部に配され、前記音信号に応じた音を発するスピーカを備える請求項１から請求項７のいずれか一項に記載の睡眠アシスト装置。
【請求項９】
前記スピーカが、前記コア部の軸方向に間隔をあけて二つ配されている請求項８に記載の睡眠アシスト装置。
【請求項１０】
二つの前記スピーカは、二つの前記スピーカから発せられる音が、前記コア部から前記コア部の径方向に離れるにしたがって、前記コア部の軸方向において互いに近づく方向に伝播するように、配されている請求項９に記載の睡眠アシスト装置。
【請求項１１】
前記スピーカは、前記コア部の外周面から外側に伝播する前記スピーカの音の向きが、前記コア部の周方向において前記シート状センサと前記コア部との接続部分に対して９０°以上１８０°以下だけずれるように、配されている請求項９又は請求項１０に記載の睡眠アシスト装置。
【請求項１２】
前記コア部の軸方向の寸法が２５ｃｍ以上７５ｃｍ以下である請求項１から請求項１１のいずれか一項に記載の睡眠アシスト装置。
【請求項１３】
前記コア部の径寸法が、２０ｍｍ以上１３０ｍｍ以下である請求項１から請求項１１のいずれか一項に記載の睡眠アシスト装置。
【請求項１４】
前記コア部から延びる前記シート状センサの延出方向の先端部に、面ファスナーが設けられている請求項１から請求項１３のいずれか一項に記載の睡眠アシスト装置。
【発明の詳細な説明】
【技術分野】
【０００１】
この発明は、睡眠アシスト装置に関する。
【背景技術】
【０００２】
近年、体動、呼吸、心拍などの被験者の生体情報を検出すると共に、当該生体情報に応じた音を発生させて、睡眠の改善やリラクゼーション効果を付与する装置（睡眠アシスト装置）が提案されている。（例えば特許文献１参照）。
【先行技術文献】
【特許文献】
【０００３】
【特許文献１】実開２０１４−２２６３６１号公報
【発明の概要】
【発明が解決しようとする課題】
【０００４】
しかしながら、上記従来の睡眠アシスト装置では、被験者の生体情報を検出するセンサと、生体情報に応じた音信号を出力する音源装置とが、別個に構成されている。このため、睡眠アシスト装置をコンパクトにまとめることが難しく、睡眠アシスト装置の搬送性や収納性が低い、という問題がある。【０００５】
本発明は、上述した事情に鑑みてなされたものであって、搬送性や収納性を向上できる睡眠アシスト装置を提供することを目的とする。
【課題を解決するための手段】
【０００６】
本発明の第一の態様の睡眠アシスト装置は、棒状のコア部と、前記コア部に対して巻き取り可能に接続され、被験者の生体情報を検知するシート状センサと、前記コア部の内部に配され、前記シート状センサで検知された被験者の生体情報に応じた音信号を出力する音発生部と、軸方向における前記コア部の一方の端面に露出して配され、前記シート状センサ、前記音発生部への電力の供給／停止を切り換える電源スイッチと、を備え、前記コア部側に位置する前記シート状センサの端部が、前記コア部のうち周方向の一部に接続されている。
本発明の第二の態様の睡眠アシスト装置は、棒状のコア部と、前記コア部に対して巻き取り可能に接続され、被験者の生体情報を検知するシート状センサと、前記コア部の内部に配され、前記シート状センサで検知された被験者の生体情報に応じた音信号を出力する音発生部と、軸方向における前記コア部の他方の端面に露出して設けられ、前記シート状センサ、前記音発生部に電力を供給するための外部の電源配線が接続される電源端子と、を備え、前記コア部側に位置する前記シート状センサの端部が、前記コア部のうち周方向の一部に接続されている。
本発明の第三の態様の睡眠アシスト装置は、棒状のコア部と、前記コア部に対して巻き取り可能に接続され、被験者の生体情報を検知するシート状センサと、前記コア部の内部に配され、前記シート状センサで検知された被験者の生体情報に応じた音信号を出力する音発生部と、軸方向における前記コア部の一方の端面に配され、被験者の生体情報に応じた視覚情報を表示する表示部と、を備え、前記コア部側に位置する前記シート状センサの端部が、前記コア部のうち周方向の一部に接続されている。
【発明の効果】
【０００７】
本発明によれば、音発生部がコア部内に配されるため、また、シート状センサがコア部に対して巻き取り可能であるため、睡眠アシスト装置をコンパクトにまとめることができる。したがって、睡眠アシスト装置の搬送性や収納性を向上することができる。
【図面の簡単な説明】
【０００８】
【図１】本発明の一実施形態に係る睡眠アシスト装置を示す斜視図である。
【図２】本発明の一実施形態に係る睡眠アシスト装置のブロック図である。
【図３】図１の睡眠アシスト装置において、軸方向におけるコア部の一端側を示す要部拡大図である。
【図４】図１の睡眠アシスト装置において、軸方向におけるコア部の他端側を示す要部拡大図である。
【図５】図１の睡眠アシスト装置において、シート状センサをコア部に巻き取った状態を示す斜視図である。
【図６】図１の睡眠アシスト装置の使用状態の一例を示す斜視図である。
【発明を実施するための形態】
【０００９】
以下、図１−６を参照して本発明の一実施形態について説明する。
図１，２に示すように、本実施形態の睡眠アシスト装置１は、棒状のコア部２と、シート状センサ３と、音源部（音発生部）４と、を備える。また、本実施形態の睡眠アシスト装置１は、推定部（生体情報処理部）５を備える。また、本実施形態の睡眠アシスト装置１は、スピーカ６を備える。また、本実施形態の睡眠アシスト装置１は、設定部７を備える。また、本実施形態の睡眠アシスト装置１は、表示部８を備える。また、本実施形態の睡眠アシスト装置１は、Ａ／Ｄ変換部９、取得部１０、制御部１１、記憶部１２、Ｄ／Ａ変換部１３も備える。
【００１０】
コア部２は、少なくとも直線状に延びる棒状に形成されていればよい。コア部２は、図３，４等に示すように軸方向から見て円形状に形成されてもよいが、例えば四角形や六角形等の任意の多角形状に形成されてもよい。
コア部２は、少なくとも音源部４をコア部２の内部に配することができるように構成されていればよい。コア部２は、例えば内部全体が空洞である筒状に形成されてもよいし、例えば内部の一部のみに空洞がある柱状に形成されてもよい。
【００１１】
コア部２の軸方向の寸法は、任意であってよいが、例えば２５ｃｍ以上７５ｃｍ以下であってよい。また、コア部２の軸方向の寸法は、例えば５８ｃｍ以上７５ｃｍ以下であってもよい。
コア部２の径寸法は、任意であってよいが、例えば２０ｍｍ以上１３０ｍｍ以下であってよい。
【００１２】
シート状センサ３は、体動、呼吸、脈拍などの被験者Ｅの生体情報を検知するセンサである。シート状センサ３は、例えば振動（圧力変動）を検出するセンサである。本実施形態のシート状センサ３は、図６に示すように、被験者Ｅの頭部Ｈの下に配した状態で、頭部Ｈから伝わる被験者Ｅの体動、呼吸、脈拍等の生体情報を検出する。図６においては、シート状センサ３と被験者Ｅの頭部Ｈとの間に枕Ｐが配されているが、これに限ることはない。
【００１３】
シート状センサ３は、可撓性を有し、図５に例示するようにコア部２に対して巻き取り可能に接続されている。図３に例示するように、コア部２側に位置するシート状センサ３の端部（基端部）３１は、コア部２のうち周方向の一部に接続されている。
【００１４】
図１，６に示すように、コア部２の軸方向に沿うシート状センサ３の幅寸法、及び、コア部２から繰り出した状態でコア部２から延びるシート状センサ３の延出方向の寸法（長さ寸法）は、シート状センサ３を被験者Ｅの頭部Ｈの下に配した状態で、少なくとも被験者Ｅの頭部Ｈがシート状センサ３上からはみ出さないように設定されればよい。本実施形態において、コア部２の軸方向に沿うシート状センサ３の幅寸法は、コア部２の軸方向の寸法と同等に設定されている。
【００１５】
図１に示すように、本実施形態のシート状センサ３は、シート状に形成されて被験者Ｅの生体情報を検知するセンサ本体３２と、センサ本体をその厚さ方向から挟み込む等してセンサ本体を保護する保護シート３３と、を備える。図示例ではセンサ本体３２が保護シート３３よりも小さいが、これに限ることはない。
【００１６】
図２に示すように、Ａ／Ｄ変換部９は、例えばアナログデジタルコンバータで構成され、シート状センサ３で検知された生体情報をデジタル信号に変換する。取得部１０は、変換されたデジタル信号を推定部５や制御部１１に供給する。また、取得部１０は、例えば変換されたデジタル信号を一旦蓄積してもよい。
本実施形態において、Ａ／Ｄ変換部９及び取得部１０は、コア部２（図１参照）の内部に配されている。Ａ／Ｄ変換部９は、前述のシート状センサ３（特にセンサ本体３２）と不図示の配線によって電気接続されている。
【００１７】
推定部５は、シート状センサ３で検知された被験者Ｅの生体情報を処理して、被験者Ｅの睡眠状態（睡眠の深さ）を推定する。本実施形態では、取得部１０からデジタル信号で出力された生体情報に含まれる体動や呼吸等の状態を表す情報に基づいて被験者Ｅの睡眠状態を推定する。睡眠状態には、例えば「興奮」、「覚醒」、「浅い眠り」、「深い眠り」、「レム睡眠」などの種類がある。推定部５は、被験者Ｅの睡眠状態がこれらの種類のいずれに該当するかを特定する。推定部５における睡眠状態の推定は、従来周知の方法で行うことが可能である。推定部５における処理の少なくとも一部は、例えば制御部１１において実行されてもよい。
本実施形態において、推定部５はコア部２（図１参照）の内部に配されている。
【００１８】
音源部４は、前述したコア部２（図１参照）の内部に配されている。音源部４は、シート状センサ３で検知された被験者Ｅの生体情報に応じた音信号を出力する。本実施形態の音源部４は、推定部５の推定結果（睡眠状態）に基づいて音信号を出力する。
音信号は、例えば制御部１１の制御の元で、推定部５の推定結果に応じて生成されてよい。音信号は、例えば推定部５の推定結果に応じて音の周波数やテンポ等が調整されたものであってもよい。また、音信号は、例えば推定部５の推定結果に加え、記憶部１２に予め記憶された音楽や自然音（例えば風の音、波の音、川のせせらぎ）などの音コンテンツに基づいて生成されてもよい。音源部４で生成された音信号は、例えば記憶部１２に記憶されてもよい。記憶部１２は、例えば半導体記録媒体、磁気式記録媒体等の公知の記録媒体によって構成されてよい。本実施形態において、記憶部１２はコア部２（図１参照）の内部に配されている。
本実施形態の音源部４は、生成された音信号をステレオの２チャンネルで出力する。
【００１９】
Ｄ／Ａ変換部１３は、例えばデジタルアナログコンバータで構成され、音源部４において生成された音信号を、アナログに変換して出力する。本実施形態では、第一のＤ／Ａ変換部１３１が、音源部４で生成されたステレオのレフト（Ｌ）の信号をアナログに変換して出力する。また、第二のＤ／Ａ変換部１３２が、音源部４で生成されたステレオのライト（Ｒ）の信号をアナログに変換して出力する。
本実施形態のＤ／Ａ変換部１３（１３１，１３２）は、コア部２（図１参照）の内部に配されている。
【００２０】
図１，２に示すように、スピーカ６は、音源部４から出力された音信号に応じた音を発する。スピーカ６は、例えば一つだけ設けられてもよいが、本実施形態では二つ設けられている。第一のスピーカ６１は、第一のＤ／Ａ変換部１３１から出力されたレフト（Ｌ）の信号を内蔵アンプで増幅させて放音する。第二のスピーカ６２は、第二のＤ／Ａ変換部１３２から出力されたステレオのライト（Ｒ）の信号を内蔵アンプで増幅させて放音する。
【００２１】
本実施形態のスピーカ６は、コア部２の内部に配されている。スピーカ６は、スピーカ６から発せられる音がコア部２の外周面からコア部２の径方向に離れるように伝播するように配されている。
スピーカ６は、例えばコア部２からその径方向に離れるように伝播するスピーカ６の音の向きがコア部２の周方向においてシート状センサ３とコア部２との接続部分（基端部３１；図３参照）に対して９０°以上１８０°以下だけずれるように、配されてもよい。
【００２２】
また、本実施形態では、二つのスピーカ６１，６２が、コア部２の軸方向に間隔をあけて配されている。二つのスピーカ６１，６２同士の間隔は、任意であってよいが、例えば被験者Ｅの頭部Ｈの両耳同士の間隔と同等、又は、両耳同士の間隔よりも大きく設定されるとよい。二つのスピーカ６１，６２は、例えば二つのスピーカ６１，６２から発せられる音がコア部２からコア部２の径方向に離れるにしたがって、コア部２の軸方向に互いに近づく方向に伝播するように配されてもよい。
【００２３】
設定部７は、睡眠アシスト装置１の各種設定を行う。本実施形態の設定部７には、図３に示すように、電源スイッチ７１や回転操作子７２が含まれている。
電源スイッチ７１は、シート状センサ３や音源部４、推定部５等への電力の供給／停止を切り換える。回転操作子７２は、音源部４から出力される音信号の大きさ（スピーカ６から発せられる音の大きさ）を調整する。
【００２４】
図１，３に示すように、電源スイッチ７１は、軸方向におけるコア部２の一方の端面２ａに露出して配されている。本実施形態において、電源スイッチ７１による電力の供給／停止の切り換えは、任意の操作で行われてよいが、本実施形態では電源スイッチ７１をコア部２に対してその軸方向に押す操作によって行われる。
【００２５】
回転操作子７２は、例えば電源スイッチ７１と別個に設けられてもよいが、本実施形態では電源スイッチ７１によって構成されている。すなわち、本実施形態の回転操作子７２は、コア部２に対してその軸線を中心に回転可能に設けられた電源スイッチ７１によって構成されている。図３における矢印Ｄ１は、電源スイッチ７１の回転方向を示している。電源スイッチ７１には、これを手指等で回転させることができるように、例えば手指を引っ掛けるための凹部が形成されてもよい。
【００２６】
図２，３に示すように、表示部８は、被験者Ｅの生体情報に応じた視覚情報を表示する。視覚情報には、例えば心拍数や呼吸の頻度、睡眠状態、睡眠量などが挙げられる。
本実施形態の表示部８は、図３に示すように、軸方向におけるコア部２の一方の端面２ａに配されている。また、表示部８は、電源スイッチ７１を囲む環状に形成されている。本実施形態の表示部８は、色や明るさ、表示領域を変化等させることで、上記の視覚情報を示すことができる。
【００２７】
さらに、本実施形態の睡眠アシスト装置１は、図１，４に示すように、電源端子１４を備える。電源端子１４には、シート状センサ３や音源部４、推定部５等に電力を供給するための電源配線Ｗが接続される。図示例では、電源配線Ｗが電源端子１４に対して着脱可能とされているが、これに限ることはない。
電源端子１４は、軸方向におけるコア部２の他方の端面２ｂに露出して設けられている。図示例では、電源端子１４が、コア部２の他方の端面２ｂからコア部２の軸方向に窪む凹部の底面に露出しているが、これに限ることはない。
【００２８】
さらに、本実施形態の睡眠アシスト装置１は、図５に示すように、シート状センサ３をコア部２に巻き付けた状態に保持する留め具１５を備える。留め具１５は、任意の構成であってよい。図５に例示する留め具１５は、シート状センサ３をコア部２に巻き付けた上で、さらにコア部２に巻き付けるベルト状に形成されている。
【００２９】
本実施形態の睡眠アシスト装置１において、取得部１０、制御部１１、推定部５、音源部４は、例えばＣＰＵ（中央処理装置）等の処理装置若しくは専用の電子回路で構成されてよい。また、取得部１０、制御部１１、推定部５、音源部４は、例えばそれぞれ別個の処理装置や電子回路で構成されてもよいし、例えばこれらのうち少なくとも一部が共通の処理装置や電子回路で構成されてもよい。
さらに、取得部１０、制御部１１、推定部５、音源部４を構成する処理装置や電子回路、記憶部１２を構成する記録媒体、Ａ／Ｄ変換部９を構成するアナログデジタルコンバータ、Ｄ／Ａ変換部１３を構成するデジタルアナログコンバータは、適宜基板上に構成された上で、コア部２の内部に配されてもよい。
【００３０】
以上のように構成される本実施形態の睡眠アシスト装置１を使用する際には、図６に例示するように、少なくともシート状センサ３が被験者Ｅの頭部Ｈの下に配され、かつ、コア部２が被験者Ｅの頭部Ｈの下に位置しないように配されればよい。すなわち、睡眠アシスト装置１を使用する際には、例えばコア部２を被験者Ｅの頭部Ｈの右側又は左側に位置させてもよい。
本実施形態の睡眠アシスト装置１を使用する際には、図６に例示するように、コア部２の軸方向が被験者Ｅの左右方向に一致するように、コア部２を被験者Ｅの頭部Ｈの頭頂部側に位置させるとよい。
【００３１】
以上説明したように、本実施形態の睡眠アシスト装置１によれば、音源部４がコア部２内に配され、また、シート状センサ３がコア部２に対して巻き取り可能である。このため、睡眠アシスト装置１をコンパクトにまとめることができる。したがって、睡眠アシスト装置１の搬送性や収納性を向上することができる。
特に、睡眠アシスト装置１の搬送性が向上することで、被験者Ｅは、睡眠アシスト装置１を旅行先などの外出先に簡単に持ち運んで使用することが可能となる。これにより、自宅以外の慣れない場所でも充分に睡眠をとることができる。
【００３２】
また、本実施形態の睡眠アシスト装置１によれば、推定部５やスピーカ６もコア部２内に配されている。このため、睡眠アシスト装置１をさらにコンパクトにまとめて、睡眠アシスト装置１の搬送性や収納性をさらに向上できる。
【００３３】
また、本実施形態の睡眠アシスト装置１によれば、二つのスピーカ６１，６２がコア部２の軸方向に間隔をあけて配されている。これにより、コア部２の軸方向が被験者Ｅの左右方向に一致するようにコア部２を配置することで、被験者Ｅの左右の耳に別の音を聞かせることができる。
【００３４】
また、本実施形態の睡眠アシスト装置１によれば、二つのスピーカ６１，６２から発せられる音を、コア部２からコア部２の径方向に離れるにしたがって、コア部２の軸方向に互いに近づく方向に伝播させる。これにより、二つのスピーカ６１，６２から発せられる音を、それぞれ被験者Ｅの左右の耳に積極的に届かせることができる。また、スピーカ６から発せられる音が、被験者Ｅの周囲に伝播することを抑制できる。すなわち、被験者Ｅ以外の人間等がスピーカ６から発せられる音によって不快に感じることを抑制できる。
【００３５】
また、本実施形態の睡眠アシスト装置１によれば、コア部２からその径方向に離れるように伝播するスピーカ６の音の向きが、コア部２の周方向においてシート状センサ３とコア部２との接続部分に対して９０°以上１８０°以下だけずれるように設定されている。このため、シート状センサ３をコア部２から繰り出し、コア部２をシート状センサ３とコア部２との接続部分上に配した状態では、スピーカ６から発せられる音が、シート状センサ３やこれを配したベッド等の上面に向けて伝播することを防止できる。すなわち、シート状センサ３を被験者Ｅの頭部Ｈの下に配した状態において、スピーカ６から発せられる音が、被験者Ｅの耳に届きやすくなる。
【００３６】
また、本実施形態の睡眠アシスト装置１によれば、電源スイッチ７１が軸方向におけるコア部２の一方の端面２ａに露出して配されている。このため、被験者Ｅは、電源スイッチ７１を視認しなくても、横たわった姿勢でコア部２の端部に手をのばすだけで、電源スイッチ７１の位置を容易に把握でき、また、電源スイッチ７１を容易に操作することができる。また、電源スイッチ７１がコア部２の外周面に配される場合と比較して、簡単にシート状センサ３をコア部２に巻き取ることができる。
【００３７】
また、本実施形態の睡眠アシスト装置１によれば、電源スイッチ７１が音発生部から出力される音信号の大きさを調整する回転操作子７２としても機能する。このため、被験者Ｅは、回転操作子７２を視認しなくても、横たわった姿勢でコア部２の端部に手をのばし、回転操作子７２を回転することで、音信号（スピーカ６から発せられる音）の大きさを容易に調整することができる。特に、回転操作子７２が電源スイッチ７１と別個に設けられる場合と比較して、被験者Ｅは視認することなく、電源の切り換え操作と音信号の調整操作とを簡単に区別することができる。
【００３８】
また、本実施形態の睡眠アシスト装置１によれば、電源端子１４が軸方向におけるコア部２の他方の端面２ｂに露出して配されている。このため、電源端子１４に接続された電源配線Ｗはコア部２からその軸方向に離れる方向に延びやすくなる。これにより、電源配線Ｗが被験者Ｅ（特に頭部Ｈ）と干渉することを防止できる。また、電源端子１４がコア部２の外周面に配される場合と比較して、簡単にシート状センサ３をコア部２に巻き取ることができる。
【００３９】
また、本実施形態の睡眠アシスト装置１によれば、コア部２及びシート状センサ３の軸方向の寸法を頭部Ｈの平均的な直径寸法である２５ｃｍ以上とすることで、就寝時において被験者Ｅの頭部Ｈをシート状センサ３上に配することができ、被験者Ｅの生体情報を確実にシート状センサ３で検知することができる。また、コア部２及びシート状センサ３の軸方向の寸法を枕Ｐの平均的な横幅寸法である５８ｃｍ以上とした場合には、就寝時に被験者Ｅが寝返りをうっても被験者Ｅの頭部Ｈがシート状センサ３からはみ出すことを効果的に防止できる。
一方、コア部２及びシート状センサ３の軸方向寸法を７５ｃｍ以下とすることで、睡眠アシスト装置１の大きさが過度に大きくなることを防ぎ、睡眠アシスト装置１の搬送性及び収納性を阻害することを防止できる。
【００４０】
また、本実施形態の睡眠アシスト装置１によれば、コア部２の径寸法を２０ｍｍ以上とすることで、シート状センサ３や音源部４、推定部５等を簡単にコア部２の内部に配することができる。一方、コア部２の径寸法を１３０ｍｍ以下とすることで、睡眠アシスト装置１の搬送性及び収納性を阻害することを防止できる。
【００４１】
また、本実施形態の睡眠アシスト装置１によれば、被験者Ｅの生体情報に応じた視覚情報を表示する表示部８が、軸方向における前記コア部２の一方の端面２ａに配されている。このため、表示部８を別途用意しなくても、被験者Ｅ等が、被験者Ｅの生体情報や生体情報に基づく各種情報（例えば睡眠状態等）を簡単に確認することができる。
また、本実施形態の表示部８は、電源スイッチ７１（回転操作子７２）と同じコア部２の一方の端面２ａに配されている。このため、被験者Ｅ等は、電源スイッチ７１（回転操作子７２）の位置を、表示部８の光によって容易に把握することもできる。
【００４２】
以上、本発明について詳細に説明したが、本発明は上記実施形態に限定されるものではなく、本発明の趣旨を逸脱しない範囲において種々の変更を加えることが可能である。
【００４３】
本発明の睡眠アシスト装置は、例えばスピーカを備えなくてもよい。すなわち、スピーカは、例えばコア部の外側に配される一般的なオーディオ機器や携帯端末などのスピーカであってもよい。この場合、スピーカは、例えば有線又は無線によって音源部に接続されてもよい。
【００４４】
本発明の睡眠アシスト装置は、例えばＤ／Ａ変換部を備えなくてもよい。すなわち、Ｄ／Ａ変換部は、例えばスピーカと共にコア部の外側に配されるものであってもよい。この場合、Ｄ／Ａ変換部は、例えば有線又は無線によって音源部に接続されてもよい。
【００４５】
本発明の睡眠アシスト装置は、例えば記憶部を備えなくてもよい。すなわち、記憶部は、例えばコア部の外側に配されてもよい。この場合、記憶部は、例えば有線又は無線によって音源部に接続されてもよい。また、記憶部は、例えば携帯端末やパーソナルコンピュータ等の外部機器に含まれるものであってもよい。この場合には、外部機器を音源部に接続してもよい。
【００４６】
本発明の睡眠アシスト装置は、例えばシート状センサや音源部、推定部等に電力を供給するためのバッテリーを備えてもよい。バッテリーは、例えばコア部の内部に配されているとよい。この場合には、外部から電力を供給できないような環境下においても、睡眠アシスト装置を使用することができる。
【００４７】
本発明の睡眠アシスト装置は、上記実施形態の留め具の代わりに、例えばコア部から延びるシート状センサの延出方向の先端部に設けられる面ファスナーを備えてもよい。この場合には、面ファスナーによってシート状センサをコア部に巻き付けた状態に保持することができる。すなわち、上記実施形態のような留め具を別途用意する必要が無くなるため、睡眠アシスト装置を容易に取り扱うことができる。
【符号の説明】
【００４８】
１…睡眠アシスト装置、２…コア部、２ａ…一方の端面、２ｂ…他方の端面、３…シート状センサ、４…音源部（音発生部）、５…推定部（生体情報処理部）、６，６１，６２…スピーカ、７…設定部、８…表示部、１４…電源端子、７１…電源スイッチ、７２…回転操作子、Ｅ…被験者、Ｗ…電源配線
【図１】
0006760391.tif 000002
【図２】
0006760391.tif 000003
【図３】
0006760391.tif 000004
【図４】
0006760391.tif 000005
【図５】
0006760391.tif 000006
【図６】
0006760391.tif 000007